(57)【特許請求の範囲】
【請求項１】
複数の連結材により相互に連結されて少なくとも２本で一対をなす側面鋼材を複数対連結して建築中の建物に連続配置する仮設通路の連結構造であって、
前記側面鋼材の一端部の上部に、嵌合孔を有する係止材を前記側面鋼材の長手方向に突設するとともに、他端の下部に、嵌合孔を有する係止材を前記側面鋼材の長手方向に突設し、
前記側面鋼材の両端部のうち前記係止材が設けられている側とは上下逆側の面に、前記係止材の前記嵌合孔に嵌合する嵌合突起部を設け、
前記係止材にボルト孔を形成する一方、前記側面鋼材の両端に前記ボルト孔に対応させて貫通孔を形成し、
一方の前記側面鋼材の端部に設けられた前記係止材の前記嵌合孔と隣接する前記側面鋼材の前記嵌合突起部とを嵌合させた状態で、一方の前記側面鋼材の端部に設けられた前記係止材の前記ボルト孔と、隣接する他の前記側面鋼材の端部に設けられた前記貫通孔とを貫通するボルトにより前記係止材と前記側面鋼材の端部とを連結し、前記連結材に足場板を架け渡すことを特徴とする仮設通路の連結構造。
【請求項２】
請求項１記載の仮設通路の連結構造において、前記嵌合突起部を前記側面鋼材に固定される支柱支持筒により形成し、当該支柱支持筒に手摺支柱を取り付けることを特徴とする仮設通路の連結構造。
【発明の詳細な説明】
【０００１】
【発明の属する技術分野】
本発明の仮設通路の連結構造は、建築中の建物の複数の水平鋼材の突出部分に配置される仮設通路の連結構造に関する。
【０００２】
【従来の技術】
建築物の施工中は、外壁作業などのために建物外部にパイプ材をクランプで連結固定して組み上げた足場が組まれ、また資材の搬送のためにその足場の各水平パイプ間に順に足場板を架け渡して水平に固定させて仮設通路にしている。
【０００３】
【発明が解決しようとする課題】
しかし、上記従来の仮設通路では、パイプで足場を組み立て、その足場の水平部材に足場板を架け渡して仮設通路にしているので、足場を組み立てるのに手間がかかるとともに組み立てに多くの人手を要するという問題があった。
そこで、本発明の仮設通路の連結構造は、連続配置された側面鋼材の両端部に設けられた係止材と嵌合突起部により隣接した側面鋼材を連結して、迅速に仮設通路を構築することができる仮設通路の連結構造を提供することを目的とする。
【０００４】
本発明の仮設通路の連結構造は、上記課題を解決したもので、複数の連結材により相互に連結されて少なくとも２本で一対をなす側面鋼材を複数対連結して建築中の建物に連続配置する仮設通路の連結構造であって、前記側面鋼材の一端部の上部に、嵌合孔を有する係止材を前記側面鋼材の長手方向に突設するとともに、他端の下部に、嵌合孔を有する係止材を前記側面鋼材の長手方向に突設し、前記側面鋼材の両端部のうち前記係止材が設けられている側とは上下逆側の面に、前記係止材の前記嵌合孔に嵌合する嵌合突起部を設け、前記係止材にボルト孔を形成する一方、前記側面鋼材の両端に前記ボルト孔に対応させて貫通孔を形成し、一方の前記側面鋼材の端部に設けられた前記係止材の前記嵌合孔と隣接する前記側面鋼材の前記嵌合突起部とを嵌合させた状態で、一方の前記側面鋼材の端部に設けられた前記係止材の前記ボルト孔と、隣接する他の前記側面鋼材の端部に設けられた前記貫通孔とを貫通するボルトにより前記係止材と前記側面鋼材の端部とを連結し、前記連結材に足場板を架け渡すことを特徴とする。
本発明の仮設通路の連結構造は、前記嵌合突起部を前記側面鋼材に固定される支柱支持筒により形成し、当該支柱支持筒に手摺支柱を取り付けることを特徴とする。
【０００５】
【発明の実施の形態】
本発明の仮設通路の連結構造の実施の形態を図１〜図３により説明する。
建築中の建物に複数の水平鋼材２が配置され、複数の水平鋼材２の突出部分に沿って複数の側面鋼材１０が通路幅間隔で２列に連続配置されている。
各側面鋼材１０の一端の上部には、嵌合孔１５ａを有する係止材１５が側面鋼材１０の長手方向に沿って突設され、他端の下部に、嵌合孔１６ａを有する係止材１６が側面鋼材１０の長手方向に沿って突設され、係止材１５，１６とは逆側の面に嵌合突起部１７が突設されて、連続配置された一方の側面鋼材１０の端部に設けられた係止材１５，１６の嵌合孔１５ａ，１６ａが隣接する側面鋼材１０の端部の嵌合突起部１７に嵌合されている。
【０００６】
そして、係止材１５，１６と側面鋼材１０の両端に、係止部材により係止材１５または係止材１６と側面鋼材１０の端部とを連結する係止孔が設けられ、係止部材としてボルトなどにより係止材１５または係止材１６を隣接する側面鋼材１０の端部に係止させて２列に連続配置された側面鋼材が相互に連結固定されている。
また、一対の側面鋼材１０の間には、適宜間隔で複数の連結材１１が配置されて一対の側面鋼材１０が連結され、隣合う連結材１１の間に足場板１２が架け渡されて水平鋼材２の突出部分に沿って仮設通路１が構築されている。
なお、側面鋼材１０を３列またはそれ以上の列に連続配置させて仮設通路を構築し、仮設通路の強度を確保するようにしてもよい。
【０００７】
図３に示すように、側面鋼材１０の一端の上部から側面鋼材の長手方向に沿って突設された係止材１５は、例えば、断面略コ字形状に形成されて係止材１５の基端が側面鋼材１０の上端に固着されているとともに、他端（突出部）に嵌合孔１５ａが開けられており、係止材１５の嵌合孔１５ａは、隣接した側面鋼材１０の嵌合突起部１７に嵌合させることができるようになっている。
側面鋼材１０の他端の下部に突設された係止材１６は、断面略コ字形状に形成されて係止材１６の基端が側面鋼材１０の下端に固着されているとともに、他端（突出部）に嵌合孔１６ａが開けられている。
【０００８】
係止材１５が設けられた側面鋼材１０の端部には、係止材１５が設けられた側とは上下逆側の面（側面鋼材１０の下面）から突出する嵌合突起部１７が設けられているとともに、係止材１６が設けられた側面鋼材１０の端部に、係止材１６が設けられた側とは上下逆側の面（側面鋼材１０の上面）から突出する嵌合突起部１７が設けられており、側面鋼材１０を連続配置させたときに一方の側面鋼材１０の係止材１５（または係止材１６）の嵌合孔１５ａ（または１６ａ）に、その係止材１５（または係止材１６）に隣接する側面鋼材１０の端部に突設された嵌合突起部１７を嵌合させることができるようになっている。
【０００９】
なお、嵌合突起部１７は、側面鋼材１０の上面もしくは下面の該当位置に設けられた孔から手摺支柱を起立させる支柱支持筒３４の端部が突出させられて形成されているが、そのほか、嵌合突起部１７を別体に設けて側面鋼材１０の上面もしくは下面の該当位置に突設するようにしてもよい。また、支柱支持筒３４の上部の開口には、手摺支柱３５の下端を差し込んで手摺支柱３５を起立させることができるようになっている。
【００１０】
また、係止材１５，１６の突出部分の内側面の任意位置には、係止孔としてそれぞれボルト孔１５ｂ，１６ｂが開けられているとともに、側面鋼材１０を連結したときに係止材１５，１６に隣接する側面鋼材１０の端部でボルト孔１５ｂ，１６ｂに対応する位置に、係止孔としてそれぞれボルト孔２３，２４が開けられて、側面鋼材１０を連結した際にボルト孔１５ｂ，２４やボルト孔１６ｂ，２３に係止ボルト２５をねじ込んで係止材１５と隣接する側面鋼材１０を連結固定できるようになっている。
【００１１】
さらには、側面鋼材１０の上端に設けられた係止材１５の嵌合孔１５ａの先端側に、係止孔として嵌合孔１５ａよりも小径のボルト孔１５ｃが開けられているとともに、側面鋼材１０の係止材１６が設けられた端部の嵌合突起部１７よりも内側に、係止孔として側面鋼材１０を上下方向に貫通する貫通孔１８が設けられており、係止材１５を隣接する側面鋼材１０の上端に配置した際に、係止材１５のボルト孔１５ｃと側面鋼材１０の貫通孔１８とにボルト３０を通してボルト３０の端部にナット３１をねじ込むことにより係止材１５と隣接する側面鋼材１０の端部とを強く連結固定することができるようになっている。
なお、係止材１５が設けられている側面鋼材１０の側の端部に貫通孔を設け、係止材１６の嵌合孔１６ａの先端側にボルト孔を設けるようにしてもよいし、側面鋼材１０の両端に貫通孔を設け、２つの係止材１５，１６にボルト孔を設けるようにしてもよい。
【００１２】
通路幅間隔で２列に配置される側面鋼材１０は、例えばＣ型チャンネル鋼の両端に平板１０ａが固着され、その側面鋼材１０は断面の開口側が外側となるように配置されて使用される。また、側面鋼材１０の内側面の長手方向に適宜間隔で係止孔部材２０が設けられているとともに、適宜位置に抜け止め付きピン２１が設けられ、係止孔部材２０に後記する連結材１１の端部の係止片を差し込んで係止できるようになっているとともに、抜け止め付きピン２１に筋交の端部を係止して２列の側面鋼材１０の間隔を保持できるようになっている。
【００１３】
係止孔部材２０と抜け止め付きピン２１とは、側面鋼材１０の高さ方向の中心線よりも下方に設けられて、隣合う連結材１１の間に足場板１２を架け渡した際に、側面鋼材１０の内側面が足場板１２の上面よりも突出して側板として機能できるようになっている。
なお、側面鋼材１０の上面には、長手方向に沿って適宜間隔で複数の孔が設けられているとともに、各孔の下側に支柱支持筒３３が設けられており、各支柱支持筒３３と側面鋼材１０の両端部に設けられた２つの支柱支持筒３４に手摺支柱３５の下端を差し込んで起立させることができるようになっている。ところで、支柱支持筒３３，３４に手摺支柱３５を起立させる代わりに、手摺支柱３５の下端にクランプなどを設けて側面鋼材１０に係止させ、側面鋼材１０の長手方向に沿って適宜間隔で手摺支柱３５を起立させるようにしてもかまわない。
【００１４】
一対の側面鋼材１０の間に配置された連結材１１は、例えば、棒状でその両端に２つの係止片が下方に突設された形状で、両端の係止片を側面鋼材１０の内側面に設けられた一対の係止孔部材２０に差し込んで側面鋼材１０を連結できるようになっている。なお、連結材１１の係止片を係止孔部材２０に取り外し可能に差し込んでボルトなどによって係止するようにして組立式にしてもよいし、係止片を係止孔部材２０に溶接などにより固着するようにしてもかまわない。
隣合う連結材１１の間に架け渡される足場板１２は、細長い板部の両端にそれぞれフック１２ａが２つ設けられており、両側のフック１２ａを一対の側面鋼材１０の間に配置されている連結材１１に係合させて、通路床を形成できるようになっている。なお、足場板１２は、フックが設けられているもののほか、隣合う連結材１１の間隔よりも長い板状部材を使用して、板状部材を隣合う連結材１１の間に架け渡すようにしてもかまわない。
【００１５】
上記の側面鋼材１０や連結材１１，足場板１２などにより建築中の建物の複数の水平鋼材の突出部分に仮設通路を設けるには、両端に係止材１５，１６が突設された複数の側面鋼材１０を、その断面の開口が外側を向くようにして水平鋼材２の突出部分に沿って通路幅間隔に２列に連続配置させる。このとき、隣接する側面鋼材１０の係止材１５と係止材１６とが相対するようにして側面鋼材１０を配置する。
そして、隣接する側面鋼材１０の端部の平板１０ａを突き合わせ、一方の側面鋼材１０の端部に設けられた係止材１５の嵌合孔１５ａを隣接した側面鋼材１０の端部に設けられた嵌合突起部１７に嵌合させるとともに、その係止材１５に相対する係止材１６の嵌合孔１６ａをその係止材１５が設けられている側面鋼材１０の端部の嵌合突起部１７に嵌合させる。
【００１６】
また、係止材１５，１６と隣接する側面鋼材１０の内側の側面に設けられたボルト孔１５ｂ，２４とボルト孔１６，２３とに係止ボルト２５をねじ込んで係止材１５，１６と隣接する側面鋼材１０の端部を連結固定する。さらには、係止材１５に設けられたボルト孔１５ｃと、隣接する側面鋼材１０に設けられた貫通孔１８にボルト３０を通してナット３１で係止部材１５を隣接する側面鋼材１０の端部に強く連結固定する。
【００１７】
上記のようにして各側面鋼材１０を連結した後に、２列の側面鋼材１０の内側面に設けられた一対の係止孔部材２０の間に連結材１１を配置するとともに、抜け止め付きピン２１に筋交を配置して左右に配置された側面鋼材１０を連結し、隣り合わせの連結材１１に足場板１２を架け渡し、側面鋼材１０の上面の各支柱支持筒３３，３４に手摺支柱３５を起立させ、隣り合わせた手摺支柱３５の間に手摺棒３６を設けて仮設通路１が構築される。
仮設通路１を撤去するには、手摺棒３６，手摺支柱３５を取り外し、係止材１５．１６を隣接する側面鋼材１０に固定しているボルト３０や係止ボルト２５を外すとともに、係止材１５，１６を嵌合突起部１７から外して一対の側面鋼材１０の連結状態を解除する。連結を解除した一対の連結鋼材１０と連結材１１や足場板１２はパネル状のままそれぞれ互い違いに積み重ねて保管することができる。その際、パネル状の一対の側面鋼材１０の内側面の両端に設けられた小突起３７に上方の側面鋼材１０の下面が当たるとともに、上方の側面鋼材１０の内側面に設けられた係止孔部材２０の下部が下方の側面鋼材１０の上面に当たって、パネル状の形状のままで積み重ねることができるようになっている。
【００１８】
なお、上記の実施の形態では複数の側面鋼材１０を２列に連続配置し、連結材１１や足場板１２を配置して仮設通路１を構築しているが、あらかじめ一対の側面鋼材１０の間に連結材１１や筋交を設けてパネル状に複数組み立てておき、それらを水平鋼材の突出部分に沿って連続配置させ、パネル状に組み立てられた側面鋼材の端部を互いに連結するようにしてもよい。
【００１９】
【発明の効果】
本発明の仮設通路の連結構造によれば、側面鋼材の両端に設けられた係止材と、係止材とは逆側の面に突設された嵌合突起部とを嵌合させ、係止材を隣接する側面鋼材の端部に係止することにより仮設通路の側面鋼材を連結できるので、迅速に仮設通路を構築することができるとともに、熟練を要せず誰にでも容易に仮設通路を構築することができる。
【図面の簡単な説明】
【図１】本発明の仮設通路の連結構造の実施の形態を示す側面説明図である。
【図２】側面鋼材の連結部分を示す斜視図である。
【図３】一対の側面鋼材と連結材の連結状態を示す平面説明図（ａ）と、側面鋼材を示す側面図（ｂ）と、図３（ａ）のＡ−Ａ矢視図（ｃ）である。
【符号の説明】
１  仮設通路
１０  側面鋼材
１５  係止材
１６  係止材
１７  嵌合突起部
【図１】
0003655384.tif 000002
【図２】
0003655384.tif 000003
【図３】
0003655384.tif 000004